(57)【要約】【課題】  耐衝撃性やシール性等に優れた酸素保持容器を提供する。【解決手段】  開閉機構を備えた容器本体を含む酸素保持容器であって、容器本体の内部に所定量の酸素を移送するための酸素発生装置と、容器本体内の気圧をモニタするための圧力センサと、を備えるとともに、容器本体が実質的に金属からなることを特徴とする。また、使用状況に応じて、容器本体外に移動可能な板状物を収容したり、圧力調整弁や酸素濃度計、温度調節装置、臭気導入装置等を備えることもできる。【選択図】  図１
2006280534.tif 000002
【特許請求の範囲】
【請求項１】
開閉機構を備えた容器本体を含む酸素保持容器であって、
前記容器本体の内部に所定量の酸素を移送するための酸素発生装置と、
前記容器本体内の気圧をモニタするための圧力センサと、を備えるとともに、
前記容器本体が実質的に金属からなることを特徴とする酸素保持容器。
【請求項２】
前記容器本体内に板状物が収容してあり、当該板状物の一部又は全部を、前記開閉機構の開状態時に、前記容器本体外に移動させるための移動手段を備えることを特徴とする請求項１に記載の酸素保持容器。
【請求項３】
前記開閉機構が、前記容器本体の内部及び外部から操作するための操作手段を備えることを特徴とする請求項１又は２に記載の酸素保持容器。
【請求項４】
前記容器本体の一部に、光透過部が設けてあることを特徴とする請求項１〜３のいずれか一項に記載の酸素保持容器。
【請求項５】
前記容器本体の一部に、圧力調整弁が設けてあることを特徴とする請求項１〜４のいずれか一項に記載の酸素保持容器。
【請求項６】
前記容器本体内の酸素濃度を測定するための酸素濃度計を備えることを特徴とする請求項１〜５のいずれか一項に記載の酸素保持容器。
【請求項７】
前記容器本体内の窒素濃度を測定するための窒素濃度計を備えることを特徴とする請求項１〜６のいずれか一項に記載の酸素保持容器。
【請求項８】
前記容器本体の一部に、前記容器本体内の温度を調整するための温度調節装置を備えることを特徴とする請求項１〜７のいずれか一項に記載の酸素保持容器。
【請求項９】
前記容器本体の一部に、スピーカ、マイクロフォン、画像表示装置、及び高周波通信装置の少なくとも一つを備えることを特徴とする請求項１〜８のいずれか一項に記載の酸素保持容器。
【請求項１０】
前記容器本体の一部に、臭気導入装置を備えることを特徴とする請求項１〜９のいずれか一項に記載の酸素保持容器。
【請求項１１】
前記容器本体の一部に、脈波、心電、心拍数、及び血圧の少なくとも一つの測定装置を備えることを特徴とする請求項１〜１０のいずれか一項に記載の酸素保持容器。
【請求項１２】
前記容器本体の一部に、当該容器本体の容量を調整するための容量調整部材を備えることを特徴とする請求項１〜１１のいずれか一項に記載の酸素保持容器。
【請求項１３】
前記容器本体に、アースを接続してあることを特徴とする請求項１〜１２のいずれか一項に記載の酸素保持容器。
【発明の詳細な説明】
【技術分野】
【０００１】
本発明は、酸素保持容器に関し、特に、耐衝撃性やシール性に優れた酸素保持容器に関する。
【背景技術】
【０００２】
従来、人体の健康に大きく影響を及ぼす酸素を手軽に吸収することができる装置として、高濃度の酸素を発生させるとともに、当該酸素の吸引を可能にした健康増進器具が知られている。かかる健康増進器具によれば、酸素発生装置から発生する酸素を吸入し、体内の酸素量を増加させて、脳や心肺機能に必要な酸素を供給しやすくしたり、老廃物の排泄を促進したりすることができる。
【０００３】
このような健康増進器具として、音楽や映像を楽しみながら酸素吸入を可能にした酸素吸入安息装置が提案されている。より具体的には、図９に示すように、空気中の窒素を一時的に吸着分離して濃縮酸素を生成する酸素濃縮装置５０２と、音楽再生装置５０３と、腰掛けた状態で音楽再生装置を用いて音楽を聴きながら酸素濃縮装置から供給される濃縮酸素を吸引できるように構成されたシステムチェア５０５とを備えた酸素吸入安息装置において、音付きの映像を受信又は再生できる映像再生装置５０６と、当該映像再生装置５０６からの映像を虚像の大型画面に映し出す頭部搭載型ディスプレイ装置５０８とを備えた酸素吸入安息装置５０１である（特許文献１参照）。
また、近年では、このような酸素吸入を目的とした健康増進装置として、図１０に示すように、本体内部に人体を収容可能であって、高圧酸素を本体内部に移送して、呼吸器官からだけでなく、皮膚からも酸素を体内に取り入れさせることを可能にした健康増進装置５５０も知られている。
【特許文献１】特開２０００−１５２９９７号公報  （特許請求の範囲  図１）
【発明の開示】
【発明が解決しようとする課題】
【０００４】
しかしながら、特許文献１における酸素吸入安息装置は、鼻や口といった呼吸器官からのみ酸素を取り入れる構成であり、体内の細胞組織のすみずみに酸素が行き渡りにくく、その効果が不十分となる場合があった。一方、皮膚からも酸素吸入を可能とした従来の健康増進装置は、呼吸器官と併せて、皮膚からも酸素を取り入れることができるものの、人体を収容する箇所の素材として布やビニールを用いたり、人体の出入口にファスナーを用いたりしているために、外部又は内部からの衝撃によって損傷しやすいものであった。また、そのような素材からなるために、内部に供給された酸素が漏れて、酸素の利用効率が低下するという可能性も考えられる。
【０００５】
そこで、本発明の発明者は鋭意努力し、酸素が供給される酸素保持容器における容器本体を実質的に金属から形成することにより、このような問題を解決できることを見出し、本発明を完成させたものである。すなわち、本発明は、外部又は内部からの衝撃に耐えられるとともに、内部に供給される酸素が外部に漏れにくい酸素保持容器を供給することを目的とする。
【課題を解決するための手段】
【０００６】
本発明によれば、開閉機構を備えた容器本体を含む酸素保持容器であって、容器本体の内部に所定量の酸素を移送するための酸素発生装置と、容器本体内の酸素圧力をモニタするための圧力センサと、を備えるとともに、容器本体が実質的に金属からなることを特徴とする酸素保持容器が提供され、上述した問題を解決することができる。
すなわち、容器本体が実質的に金属からなることにより、外部又は内部からの衝撃に対する耐久性が向上するとともに、密閉性を高めて、内部の酸素が漏れることを有効に防止することができる。また、布製や塩化ビニール製の本体と比較して、内部への出入りが容易になるとともに、アースを接続した場合にはアース性に優れ、静電気の発生を有効に防止することができる。
【０００７】
また、本発明の酸素保持容器を構成するにあたり、容器本体内に板状物が収容してあり、当該板状物の一部又は全部が、開閉機構の開状態時に、容器本体外に移動するための移動手段を備えることが好ましい。
このように構成することにより、板状物が容器本体外に移動できるために、容器本体内へ容易に出入りすることができる。
【０００８】
また、本発明の酸素保持容器を構成するにあたり、開閉機構が、容器本体の内部及び外部から操作するための操作手段を備えることが好ましい。
このように構成することにより、開閉機構を内部からも操作するための操作手段を備えてあるために、緊急時等に、内部に閉じ込められることを防ぐことができる。
【０００９】
また、本発明の酸素保持容器を構成するにあたり、容器本体の一部に、光透過部が設けてあることが好ましい。
このように構成することにより、所定の光透過部が設けてあるために、容器内に人体が入っている間の圧迫感を減少させることができる。
【００１０】
また、本発明の酸素保持容器を構成するにあたり、容器本体の一部に、圧力調整弁が設けてあることが好ましい。
このように構成することにより、所定の圧力調整弁が設けてあるために、容器内の気圧を容易に調整することができる。
【００１１】
また、本発明の酸素保持容器を構成するにあたり、容器本体内の酸素濃度を測定するための酸素濃度計を備えることが好ましい。
このように構成することにより、所定の酸素濃度計を備えてあるために、容器内の酸素濃度を所定の値に精度良く制御することができる。
【００１２】
また、本発明の酸素保持容器を構成するにあたり、容器本体内の窒素濃度を測定するための窒素濃度計を備えることが好ましい。
このように構成することにより、所定の窒素濃度計を備えてあるために、容器内の窒素量が過度に増加することを防止して、例えば、窒素酔い等の弊害を防止することができる。
【００１３】
また、本発明の酸素保持容器を構成するにあたり、容器本体内の温度を調整するための温度調節装置を備えることが好ましい。
このように構成することにより、内部を高圧にすることによって温度が上昇した場合などに、適宜温度調整をすることができる。
【００１４】
また、本発明の酸素保持容器を構成するにあたり、容器本体の一部に、スピーカ、マイクロフォン、画像表示装置、及び高周波通信装置の少なくとも一つを備えることが好ましい。
このように構成することにより、所定のスピーカ等を備えてあるために、容器内で酸素吸入しながら、音楽鑑賞や映画鑑賞をしたり、外部の人との会話をしたりすることができ、リラクゼーション効果や安心感を高めることができる。
【００１５】
また、本発明の酸素保持容器を構成するにあたり、容器本体の一部に、臭気導入装置を備えることが好ましい。
このように構成することにより、所定の臭気導入装置を備えてあるために、容器内で酸素吸入しながら、アロマテラピーを楽しめ、リラクゼーション効果をさらに高めることができる。
【００１６】
また、本発明の酸素保持容器を構成するにあたり、容器本体の一部に、脈波、心電、心拍数、及び血圧の少なくとも一つの測定装置を備えることが好ましい。
このように構成することにより、所定の脈波等の測定装置を備えてあるために、容器内で酸素吸入しながら、健康診断等を行うことができ、健康増進により寄与することができる。
【００１７】
また、本発明の酸素保持容器を構成するにあたり、容器本体の一部に、当該容器本体の容量を調整するための容量調整部材を備えることが好ましい。
このように構成することにより、所定の容量調整部材を備えてあるために、容器内に入る人体の大きさに応じて、容器内の容量を容易に変えることができ、酸素の利用効率を著しく高めることができる。
【００１８】
また、本発明の酸素保持容器を構成するにあたり、容器本体に、アースを接続してあることが好ましい。
このように構成することにより、酸素保持容器に静電気が滞留することを防いで、内部に出入りする人体へ不快感を与えることをなくすことができる。
【発明を実施するための最良の形態】
【００１９】
本実施形態は、開閉機構を備えた容器本体を含む酸素保持容器であって、容器本体の内部に所定量の酸素を移送するための酸素発生装置と、容器本体内の酸素圧力をモニタするための圧力センサと、を備えるとともに、容器本体が実質的に金属からなることを特徴とする酸素保持容器である。
以下、適宜図面を参照しながら、本実施形態にかかる酸素保持容器について具体的に説明する。なお、それぞれの図において、共通する部材については同じ符号を付してあり、適宜図示を省略したり、説明を省略したりしてある。
【００２０】
１．容器本体
（１）基本的構成
図１（ａ）〜（ｃ）に示すように、酸素保持容器１０における容器本体１１は、利用者が内部に出入り可能なように構成された開閉機構１３を備えているとともに、当該利用者が内部に横たわることができる程度の大きさを有している。
また、かかる容器本体の断面形状は特に制限されるものではなく、例えば、四角形をはじめとする多角形状や、円形状、楕円形状等とすることができる。中でも、内部の容積を過度に大きくせずに酸素の利用効率を高められるとともに、外観等のデザイン性にも優れていることから、実質的に円形状であることが好ましい。
かかる容器本体は、一例として、その長さが２ｍ程度であって、直径が０．７ｍ程度の円柱状の容器本体とすることができる。
なお、図１（ａ）は、酸素保持容器の斜視図を示し、図１（ｂ）は、酸素保持容器の上面図を示し、図１（ｃ）は、酸素保持容器の側面図を示している。
【００２１】
（２）構成材料
また、本発明の酸素保持容器における容器本体は、実質的に金属から形成されていることを特徴とする。すなわち、人体の収容部が、布やビニール製のシート状物を用いる代わりに、金属材料を用いて構成されている。かかる金属からなる容器本体であれば、外部又は内部からの衝撃に対する耐久性を発揮できるとともに、内部の酸素が、容器本体自体から、外部に漏れることを有効に防止することができるためである。また、容器本体が金属から形成されていることにより、酸素保持容器が配置される室内等の気温に調整することが容易になるためである。さらに、容器本体が金属であれば、酸素保持容器のアース性にも優れ、静電気の発生を効果的に防止することができるためである。
かかる容器本体を構成する金属材料としては、アルミニウム、鉄、ステンレス等を使用することができる。中でも、成形が容易であり、低コストで生産可能なステンレスを用いることが好ましい。
また、金属からなる容器本体には、アースを接続してあることが好ましい。この理由は、静電気が滞留することを防いで、不快感を与えることがなくなるためである。
【００２２】
（３）開閉機構
また、酸素保持容器１０における容器本体１１は、図１（ａ）〜（ｃ）に示すように、内部に人体が出入り可能な程度の開口部を覆う開閉機構１３を備えている。すなわち、開状態時において、利用者が酸素保持容器の内部に入ることができるとともに、閉状態時において、内部に供給される酸素が外部に漏れ出すことのないように密閉できるように構成されている。
かかる開閉機構の構成は特に制限されるものではないが、例えば、図１に示す酸素保持容器１０における開閉機構は、図２（ａ）〜（ｃ）に示すように、容器本体１１における長手方向から利用者が出入りできるようなドア部１３から構成したり、あるいは、図３（ａ）〜（ｂ）に示すように、容器本体１１における上方から利用者が出入りできるようなドア部１３から構成したりすることができる。
さらに、図示しないものの、別の開閉機構の構成として、容器本体における長手方向や上方から利用者が出入りできるようなシャッター部からなる開閉機構とすることもできる。
ただし、後述する板状物を利用して、利用者が横たわった状態で、酸素保持容器内に出入り可能に構成することができるとともに、密閉状態とすることが容易であることから、図２（ａ）〜（ｃ）に示すような、容器本体の長手方向から出入り可能なドア部からなる開閉機構とすることが好ましい。
【００２３】
また、開閉機構は、容器本体の内部の密閉性を高めて、酸素の利用効率が低下することを防止するため、閉じた状態で、内部に移送される酸素が漏れ出すことのないように密閉される構造とされている。例えば、開閉機構としてのドア部及び容器本体における、それぞれ互いに接触する箇所に弾性ゴムを配置するとともに、当該ドア部を閉めた際に、ドア部と容器本体とが接触する箇所を挟み込んで圧接することができるような構造とすることにより、容器本体を密閉することができる。
かかる開閉機構の具体的な例としては、図４（ａ）〜（ｃ）に示すように、ドア部１３及び容器本体１１における、それぞれ互いに接触する箇所に弾性ゴム１５ａ、１５ｂを配置しておき、ドア部１３を閉めた後（図４（ｂ）に相当）に、当該ドア部１３を回転させることにより、ドア部１３の縁に設けられた突起部１３ａが、容器本体の受け部１１ａに入り込み、ドア部１３と容器本体１１とが圧接され（図４（ｃ）に相当）、容器本体１１を密閉するような構造とすることができる。
【００２４】
また、開閉機構の別の例としては、図５（ａ）〜（ｃ）に示すように、ドア部１３及び容器本体１１における、それぞれ互いに接触する箇所に弾性ゴム１５ａ、１５ｂを配置しておき、ドア部１３を閉めた後（図５（ｂ）に相当）に、ドア部１３に備えられた操作手段としての密閉用ハンドル１７を回転させることにより、押圧部材１９によって、ドア部１３と容器本体１１とが圧接され（図５（ｃ）に相当）、容器本体１１を密閉する構造とすることができる。
かかる開閉機構は、てこの原理を利用した開閉機構であり、密閉用ハンドル１７を比較的弱い力で回転させた場合であっても、複数の押圧部材１９を容易かつ同時に回転させて、ドア部１３を容器本体１１側へ押し付けたり、あるいは緩めたりすることができるものである。すなわち、押圧部材１９を回転させる際に、当該押圧部材１９の回転径よりも大きい回転径の密閉用ハンドル１７を回転させることにより、少ない力を加えるだけで押圧部材１９を回転させることができる。また、複数の押圧部材１９がすべて密閉用ハンドル１７に接続されていることにより、一つの密閉用ハンドル１７を回転させるだけで、複数の押圧部材１９を同時に回転させることができる。このような開閉機構であれば、上述したような、ドア部自体を回転させる構造と比較して、例えば、女性が取扱う場合であっても、容易に密閉することができる。
【００２５】
また、図５（ａ）〜（ｃ）に示すような開閉機構において、密閉用ハンドル１７の回転範囲を規定するためのストッパーを備えることが好ましい。この理由は、密閉用ハンドルの操作性を向上させて、密閉用ハンドルが必要以上に回転することによる押圧部材１９等の破損を防ぐことができるためである。
かかるストッパーとしては、図７（ａ）〜（ｂ）に示すように、一端がドア部１３等に固定され、多端が密閉用ハンドル１７に固定されたワイヤー２４ａ、２４ｂを用いることができる。かかるワイヤー２４ａ、２４ｂを用いたストッパーは、容器本体のドア部１３を開状態にする際には、図７（ａ）に示すように、ワイヤー２４ｂが伸びきるために、図中時計回りとは反対方向への回転範囲を規制することができる。一方、容器本体の開閉機構１３を閉めて密閉する際には、図７（ｂ）に示すように、ワイヤー２４ａが伸びきるために、図中時計回り方向への回転範囲を規制することができる。
【００２６】
また、これらの開閉機構は、容器本体の外部から操作できることはもちろんのこと、容器本体の内部からも開閉機構を操作するための操作手段を備えることが好ましい。
この理由は、容器本体に人体が入り込んでいる最中に、地震や火災等の緊急事態が発生した場合などに、周囲に人がいない場合であっても、内部から開閉機構を開けて、外部へ出ることができるようにするためである。
例えば、図４（ａ）や図５（ａ）に示す開閉機構を備えた酸素保持容器における、ドア部１３の内側にも、ドア部１３あるいは密閉用ハンドル１７を回転させることができるハンドル１８を設けることができる。また、開閉機構を操作する操作手段は特に制限されるものではなく、かかるハンドル以外に、図示しないものの、例えば、操作レバー、取手等とすることもできる。
【００２７】
（４）光透過部
また、図１（ａ）〜（ｃ）に示すように、容器本体１１の一部における、例えば、内部に人体が収容された状態で顔が位置する箇所に、光透過部１２が設けられていることが好ましい。
この理由は、容器本体が金属からなり、光の透過率が低いことから、密閉された容器本体内での圧迫感を和らげることができるためである。また、外部から、容器本体内の人体の様子を確認でき、内部の異変を察知することができるためである。
かかる光透過部１２としては、長期間使用した場合であっても、劣化しにくいことから、ポリカーボネートを用いて構成することが好ましい。
【００２８】
２．板状物
また、図２（ａ）〜（ｃ）に示すように、容器本体１１には板状物１４が収容されており、当該板状物１４の一部又は全部を、開閉機構１３の開状態時に、容器本体外に移動させるための移動手段２６を備えることが好ましい。この理由は、容器本体内部への人体の出入りが容易になるためである。
例えば、酸素保持容器内へ入る場合には、図２（ａ）に示すように、容器本体１１の開閉機構１３を開けた状態で、板状物１４を容器本体１１の外に引き出し、当該板状物１４上に人体が横たわった後、当該板状物１４を容器本体１１の内部へ収容し、開閉機構１３を閉じることにより、容器本体内１１に容易に入ることができる。
また、かかる板状物は、例えば、複数の孔を有する板としたり、メッシュ状の板状物としたりすることが好ましい。この理由は、当該板状物上に横たわった状態で酸素吸入する際に、背面側からも吸入させることができるためである。
また、板状物１４を移動させる移動手段としては、例えば、図２（ａ）に示すような、板状物に装着された車輪２８やレール３０を挙げることができるが、これに制限されるものではなく、アーム、ローラーとすることもできる。
【００２９】
３．酸素発生装置
また、図１（ａ）に示すように、本発明の酸素保持容器１０は、容器本体内部に所定量の酸素を移送するための酸素発生装置１７を備えている。
かかる酸素発生装置の態様は特に制限されるものではなく、公知の酸素発生装置を使用することが可能である。ただし、酸素を効率よく発生させて、容器本体内に供給することができるように、例えば、以下のような構成とすることが好ましい。すなわち、空気中の窒素を一時的に吸着分離して濃縮酸素を生成する酸素発生装置である。圧縮空気を冷却することにより当該圧縮空気中の水分を凝縮させた後、気液分離させ、気液分離させた圧縮空気をゼオライト系の窒素吸着物質に接触させることによって、一時的に酸素濃度が約９０％の高濃縮酸素を生成し、別系統から供給される通常の空気と混合させて、所定濃度の濃縮酸素を連続的に生成する酸素発生装置である。
【００３０】
また、酸素発生装置１７からコンプレッサー（図示せず）により高圧にされ移送される酸素は、容器本体１１に設けられた供給口を介して、容器本体内に供給される。
ここで、酸素の供給口の態様については特に制限されるものではないが、例えば、図７に示すように、容器本体１１内に備えられたフレキシブル管２２と接続され、当該フレキシブル管２２を介して酸素が供給されるように構成されていることが好ましい。
この理由は、容器本体内に収容された人が、酸素吹出方向を所望の方向に変えることができるためである。すなわち、全身で酸素吸入しつつ、口や鼻の呼吸器官からより多くの酸素を取り入れたい場合には、フレキシブル管の位置を移動させて、酸素の吹出方向を顔の方向に向けることができる。一方、風圧を感じることを嫌う場合には、酸素の吹出方向が人体の方向に向かないように、フレキシブル管の位置を移動させることができる。
【００３１】
４．圧力センサ
また、図１（ａ）に示すように、本発明の酸素保持容器１０は、容器本体１１内の気圧をモニタするための圧力センサ２１を備えている。これにより、容器本体内が高圧になると、人体に影響を与える場合があり、容器内部の気圧を的確に管理することができる。
かかる圧力センサの態様としては特に制限されるものではなく、公知のものを適宜使用することができる。
ただし、容器本体内の気圧を容器本体の外部から確認できることはもちろんのこと、内部からも確認できるようにされていることが好ましい。この理由は、内部に収容された人自身が、内部の圧力変化を確認できるようにして、気圧が著しく高くなったり、あるいは、低くなったりすることがないように、確認できるためである。
【００３２】
５．圧力調整弁
また、図１（ａ）に示すように、酸素保持容器１０の一部には、容器本体１１内の気圧を調整するための圧力調整弁２３を備えていることが好ましい。この理由は、上述の圧力センサで検知される内部の気圧が過度に高くなることを防止するためである。また、高圧酸素を供給する一方で、圧力調整弁２３により容器本体内の酸素等の一部を排出して減圧することにより、容器本体内での酸素循環を効率化することができるためである。さらに、使用後に、高圧の状態で開閉機構を開けると、危険な場合があるため、内部を速やかに減圧するためである。
また、かかる圧力調整弁は、容器本体の外部から操作可能であることはもちろん、内部からも操作可能であることが好ましい。この理由は、内部からでも操作できるようにして、周囲に人がいない場合であっても、内部の気圧の変化に対応して、内部に収容された人が自ら圧力を調整することができるようにするためである。
さらに、かかる圧力調整弁として、容器内部に酸素を供給していった際に、容器内部の気圧が所定値を超えた場合に、自動的に、内部の大気を外部に排出して、気圧を低下させる減圧弁とすることも好ましい。例えば、耳鳴り等の不快感をなくすためには、吸入中においても、容器本体内の気圧を１．１〜２．０気圧の範囲内とすることが好ましく、１．２〜１．３気圧の範囲内とすることがより好ましい。このとき、減圧弁の配置位置を、容器本体における酸素供給口とは反対側に配置することにより、容器本体内で、酸素を効率よく循環させることができる。
【００３３】
６．温度調節装置
また、図１（ａ）に示すように、本発明の酸素保持容器１０は、容器本体１１内の温度を調整するための温度調節装置２５を備えていることが好ましい。この理由は、内部の気圧を上げることによって内部の温度が上昇した場合や、あるいは、外気の温度状態等によって内部の温度が低下した場合等に、内部を快適な温度状態に保つことができるためである。
かかる温度調節装置としては、例えば、小型のエアーコンディショナーやヒーターを使用することができる。
【００３４】
７．酸素濃度計
また、容器本体内に、容器本体内の酸素濃度を測定するための酸素濃度計を備えていることが好ましい。
この理由は、容器本体内の酸素濃度が高くなりすぎると気圧が上昇して耳鳴り等を生じたり、逆に酸素濃度が低下すると呼吸困難になったりする場合があるため、内部の酸素濃度を的確に管理するためである。例えば、内部に人体を収容して使用する場合には、内部の酸素濃度を２５〜４０％の範囲内の値とすることが好ましい。
かかる酸素濃度計の態様としては特に制限されるものではなく、公知のものを使用することができる。
【００３５】
８．窒素濃度計
また、酸素保持容器は、容器本体内の窒素量を測定するための窒素濃度計を備えていることが好ましい。
この理由は、容器本体内の窒素濃度が高くなりすぎると、いわゆる窒素酔いを生じてしまうため、内部の窒素濃度を的確に管理するためである。例えば、容器本体内の窒素濃度を、全体量に対して６０〜７５重量％の範囲内の値とすることが好ましい。
かかる酸素濃度計の態様としては特に制限されるものではなく、公知のものを使用することができる。
【００３６】
９．音響設備等
また、酸素保持容器の一部には、スピーカ、マイクロフォン、画像表示装置、及び高周波通信装置等の少なくとも一つの音響設備等を備えることが好ましい。
この理由は、容器本体内で酸素を吸入しながら、音楽や映画等を鑑賞したりできるため、リラクゼーション効果が向上するためである。また、マイクロフォンやスピーカ等を利用して、内部に収容された人との連絡手段としても使用することができるためである。さらに画像表示装置を備える場合には、上述した各速度計による測定値や、後述の身体測定のデータ等を表示させて、装置内の人がさまざまな情報を得ることができるようになるためである。
例えば、容器本体の内部に、それぞれの装置を設置しておくこともでき、あるいは、容器本体の内部には画像表示装置やスピーカのみを設置し、容器本体外に、カセットテープやコンパクトディスク、デジタルビデオディスク等のソフトをセットできるようにしておくこともできる。
【００３７】
１０．臭気導入装置
また、酸素保持容器の一部には、臭気導入装置を備えることが好ましい。
この理由は、酸素吸入を行いながらアロマテラピーを味わうことができるため、リラクゼーション効果を高めて、より健康増進に資することができるためである。
かかる臭気導入装置の態様についても特に制限されるものではなく、公知の臭気発生装置を容器本体の内部に設置してもよく、あるいは、容器本体の外部の臭気発生装置から発生する臭気を、容器本体に供給する構成とすることもできる。
【００３８】
１１．身体条件測定装置
また、酸素保持容器の一部には、脈波、心電、心拍数、及び血圧等の少なくとも一つの身体条件測定装置を備えていることが好ましい。
この理由は、酸素吸入を行いながら、所定の健康状態の測定を行うことができるために、例えば、身体の状態に合わせて、酸素吸入条件を変えることができるためである。
かかる身体条件測定装置の種類や態様についても特に制限されるものではなく、公知のものを適宜設置して使用することができる。
【００３９】
１２．容量調整部材
また、酸素保持容器の一部には、容器本体の容量を調整するための容量調整部材を備えていることが好ましい。
この理由は、容器内に入る人体の大きさに合わせて、容器本体の容量を容易に調整することができ、酸素の利用効率を著しく向上させることができるためである。ただし、容器本体内で適度に酸素を循環させる必要があることから、容器本体の内部の容量が過度に小さくならないようにする必要がある。
かかる容量調整部材としては、図８（ａ）に示すように、エアバッグ状物２７を内部に配置して容量を調整することもでき、あるいは、図８（ｂ）に示すように、蛇腹部２９を設けて容器本体１１自体を長さ方向に伸縮自在に構成することもできる。
【００４０】
１３．抗菌処理
また、酸素保持容器に使用される容器本体や板状部材等は、抗菌処理されていることが好ましい。この理由は、人体を収容して使用する装置の抗菌性を保つとともに、高濃度酸素環境下で、菌の成長を防ぐためである。
例えば、それぞれ使用する部材中に、銀等の抗菌性材料を混合したり、抗菌性材料をそれぞれの部材の表面に塗布したりすることにより、抗菌性を持たせることができる。
【００４１】
１４．使用例
以下、上述した構成の酸素保持容器の使用例を説明する。
まず、容器本体の開閉機構を開けて、内部から板状物を引き出す。そして、当該板状物上に人体が横たわった後、板状物ごと内部に収容するとともに、開閉機構を閉めて、容器本体を密閉する。その後、内部に所定の濃度の高圧酸素を供給して、酸素を吸入させる。このとき、必要に応じて、酸素濃度や窒素濃度を管理したり、内部の気圧を調整したりする。また、音楽や映像を流したり、臭気を供給したりすることにより、より快適に酸素吸入させることができる。
このとき、内部の温度や圧力、酸素濃度、窒素濃度等を表示する表示面が、人体が横になった場合の顔の位置の上方又は側方に配置してあれば、横になった状態でも視認することができるため、好ましい態様である。さらに、上述の温度調整装置や圧力調整弁、さらに酸素供給量を調整するための操作パネル等が、人体が横になった状態で操作できるように配置してあることが好ましい。
そして、酸素吸入が終了した後には、開閉機構が急激に開くことがないように、内部を十分に減圧した上で、開閉機構を開けて容器本体外に出て、終了する。
【００４２】
なお、本発明の酸素保持容器は、人体のみならず、動植物等を対象に酸素吸入させることも可能である。この場合には、容器の大きさを小さくしたり、内部の気圧を比較的低くしたりすることができる。また、容器本体内の一部に、えさや水分を入れておく容器を設置しておくことにより、酸素吸入させながら動物等の健康を回復させることができる。
【産業上の利用可能性】
【００４３】
以上説明した本発明の酸素保持容器は、容器本体が金属からなり、開閉機構を開閉することで、内部への出入り（出し入れ）が容易であることから、人体や動物を内部に収容して酸素吸入させること以外にも、例えば、内部に植物を入れて発育を促進させたり、あるいは、対象物を効率的に燃焼させたりする容器としても使用することができる。
【図面の簡単な説明】
【００４４】
【図１】（ａ）〜（ｃ）は、それぞれ本発明の酸素保持容器の斜視図、上面図、側面図である。
【図２】（ａ）〜（ｃ）は、それぞれ開閉機構を開け、板状物を外部に移動させた状態を示す図である。
【図３】（ａ）〜（ｂ）は、それぞれ上方に開閉可能な開閉機構を備えた酸素保持容器を示す図である。
【図４】（ａ）〜（ｃ）は、それぞれ容器本体の密閉機構を説明するために供する図である。
【図５】（ａ）〜（ｃ）は、それぞれ容器本体の別の密閉機構を説明するために供する図である。
【図６】（ａ）〜（ｂ）は、それぞれ密閉用ハンドルに設けたストッパーを説明するために供する図である。
【図７】酸素供給口にフレキシブル管を設けた例を示す図である。
【図８】（ａ）〜（ｂ）は、それぞれ容量調整部材を説明するために供する図である。
【図９】従来の酸素吸入安息装置を示す図である。
【図１０】従来の健康増進装置を示す図である。
【符号の説明】
【００４５】
１０：酸素保持容器、１１：容器本体、１２：光透過部、１３：開閉機構（ドア部）、１４：板状物、１５ａ・１５ｂ：弾性ゴム、１７：酸素発生装置、１９：押圧部材、２１：圧力センサ、２２：フレキシブル管、２３：圧力調整弁、２４：ワイヤー（ストッパー）、２５：圧力調整装置、２６：移動手段、２７：エアバッグ状物、２８：車輪、２９：蛇腹部、３０：レール
【図１】
2006280534.tif 000003
【図２】
2006280534.tif 000004
【図３】
2006280534.tif 000005
【図４】
2006280534.tif 000006
【図５】
2006280534.tif 000007
【図６】
2006280534.tif 000008
【図７】
2006280534.tif 000009
【図８】
2006280534.tif 000010
【図９】
2006280534.tif 000011
【図１０】
2006280534.tif 000012